(57)【要約】【課題】送風装置を着脱可能な衣服において、使用者の動きやすさを確保しつつ、効果的に身体を冷却することが可能な構成を提供する。【解決手段】上着１１は、上着１１の着用時に使用者の胴体の前面を覆う前身頃と、背面を覆う後身頃２１とを少なくとも含む表地２を備えている。表地２は、ファンとモータとを備えたファンユニット８を着脱可能に構成された取付け孔２１１Ａ、２１１Ｂを有する。取付け孔２１１Ａ、２１１Ｂは、後身頃２１の左右方向の中心線上に設けられている。取付け孔２１１Ａは、上着１１の着用時に使用者の腰部１０１よりも上方に配置される位置に設けられている。【選択図】  図１
2020070502.tif 000002
【特許請求の範囲】
【請求項１】
少なくとも１つのファンと少なくとも１つのモータとを備えた送風装置を着脱可能な衣服であって、
前記衣服の着用時に使用者の胴体の前面を覆う前身頃と、前記胴体の背面を覆う後身頃とを少なくとも含み、且つ、前記送風装置を着脱可能に構成された取付け孔を有する表地を備え、
前記取付け孔は、前記前身頃または前記後身頃の左右方向の中心線上にあり、且つ、その少なくとも一部が、前記衣服の着用時に前記使用者の腰部よりも上方に配置される位置に設けられていることを特徴とする衣服。
【請求項２】
少なくとも１つのファンと少なくとも１つのモータとを備えた送風装置を着脱可能な衣服であって、
前記衣服の着用時に使用者の胴体の前面を覆う前身頃と、前記胴体の背面を覆う後身頃とを少なくとも含み、且つ、前記送風装置を着脱可能に構成された取付け孔を複数有する表地を備え、
前記複数の取付け孔はすべて、前記前身頃または前記後身頃の左右方向の中心線上に設けられていることを特徴とする衣服。
【請求項３】
請求項２に記載の衣服であって、
前記複数の取付け孔のうち少なくとも１つは、その少なくとも一部が、前記衣服の着用時に前記使用者の腰部よりも上方に配置される位置に設けられていることを特徴とする衣服。
【請求項４】
請求項１〜３の何れか１つに記載の衣服であって、
前記取付け孔は、前記後身頃に配置されていることを特徴とする衣服。
【請求項５】
請求項４に記載の衣服であって、
前記取付け孔の少なくとも一部は、前記衣服の着用時に、前記使用者の前記背面のうち、左右の肩甲骨の間の領域に対向する位置に配置されていることを特徴とする衣服。
【請求項６】
請求項１〜５の何れか１つに記載の衣服であって、
前記取付け孔を前記表地の外面側から覆う閉状態と、前記取付け孔を前記衣服の外部に露出させる開状態との間で変位可能に構成されたカバーを更に備えたことを特徴とする衣服。
【請求項７】
請求項６に記載の衣服であって、
前記カバーの少なくとも一部は、メッシュ地で構成されていることを特徴とする衣服。
【請求項８】
請求項７に記載の衣服であって、
前記メッシュ地は、前記カバーのうち、前記カバーが前記閉状態にあるときに前記取付け孔を覆う領域に設けられていることを特徴とする衣服。
【請求項９】
請求項６に記載の衣服であって、
前記カバーは、前記カバーが前記閉状態にあるときに前記取付け孔を覆う第１領域と、前記第１領域と異なる第２領域とを含み、
前記第２領域は、開口を有することを特徴とする衣服。
【請求項１０】
請求項６〜９の何れか１つに記載の衣服であって、
前記カバーは、吸音部材を含むことを特徴とする衣服。
【請求項１１】
請求項６〜１０の何れか１つに記載の衣服であって、
前記カバーは、前記閉状態において、前記中心線に沿って上下方向に延在し、左端部および右端部が前記表地と接続されて閉じられ、且つ、少なくとも上端部が開放された状態で、前記取付け孔を覆うように構成されていることを特徴とする衣服。
【請求項１２】
請求項６〜１１の何れか１つに記載の衣服であって、
前記カバーは、保水性および通気性を有することを特徴とする衣服。
【請求項１３】
請求項１〜１２の何れか１つに記載の衣服であって、
前記表地の内面側に取り付けられた裏地と、
前記表地と前記裏地の間に形成された内部空間とを更に備え、
前記内部空間は、前記送風装置が前記取付け孔に装着された場合、前記送風装置によって送出された外気が流動可能に構成されていることを特徴とする衣服。
【請求項１４】
請求項１〜１３の何れか１つに記載の衣服であって、
前記取付け孔に取り外し可能に装着された前記送風装置を更に備えたことを特徴とする衣服。
【請求項１５】
請求項１〜１４の何れか１つに記載の衣服であって、
前記送風装置に電力を供給するためのバッテリを更に備えたことを特徴とする衣服。
【発明の詳細な説明】
【技術分野】
【０００１】
本発明は、送風装置を着脱可能な衣服に関する。
【背景技術】
【０００２】
送風装置を着脱可能な衣服が知られている。このような衣服では、送風装置によって衣服内に外気が送出されることで、衣服の使用者の身体を冷却することができる。例えば、特許文献１に開示されている衣服では、送風装置は、後身頃に左右一対で設けられたポケットに収納される。
【先行技術文献】
【特許文献】
【０００３】
【特許文献１】特開２０１７―１５０１２０号
【発明の概要】
【発明が解決しようとする課題】
【０００４】
特許文献１の衣服は上着であって、ポケットは、上着の後身頃の左右幅方向両側寄り、且つ、裾部寄りに配置されている。よって、送風装置は、使用者の腰部の左側面および右側面に近い領域に対向するように配置されることになる。このため、送風装置が腕の動きに干渉する場合がある。
【０００５】
本発明は、このような事情に鑑みてなされたものであり、送風装置を着脱可能な衣服において、使用者の動きやすさを確保しつつ、効果的に身体を冷却することが可能な構成を提供することを目的とする。
【課題を解決するための手段】
【０００６】
本発明の一態様として、少なくとも１つのファンと少なくとも１つのモータとを備えた送風装置を着脱可能な衣服が提供される。この衣服は、表地を備えている。表地は、衣服の着用時に使用者の胴体の前面を覆う前身頃と、胴体の背面を覆う後身頃とを少なくとも含む。また、表地は、送風装置を着脱可能に構成された取付け孔を有する。取付け孔は、前身頃または後身頃の左右方向の中心線上にあり、且つ、その少なくとも一部が、衣服の着用時に使用者の腰部よりも上方に配置される位置に設けられている。
【０００７】
送風装置が取付け孔に取り付けられた状態で、本態様の衣服が使用者に着用されると、送風装置は、使用者の前面側または背面側に配置されて、正中線（身体の前面または背面の左右方向の中心線）に対向する（重なる）。つまり、前側または後側からみた場合、送風装置は、使用者の身体の正中線上に配置される。よって、本態様の衣服では、送風装置が腰部の左側面および右側面に近い領域に対向する従来の衣服に比べ、使用者が左右に腕を振る動きの際、送風装置が干渉しにくい。また、送風装置は、腰部よりも上方、つまり背部または胸部（つまり、胴体のうち胸椎の背面側または前面側の部分）に対向する位置に配置されるため、腰部を支点とする前屈、後屈、側屈等、様々な動きの邪魔にもなりにくい。更に、上述の従来の衣服では、例えば、腕を左右に振る動き等、身体が捩られる動きを伴う運動では、送風装置が受ける遠心力が使用者への負荷となる。よって、一般的には、激しい動きを伴うスポーツには好適とはいいがたい。このような従来の衣服に比べ、本態様の衣服では、送風装置は、遠心力をより受けにくい、身体の中心軸に近い位置に配置されている。これにより、送風装置が着脱可能な衣服をより広範な分野に好適に使用可能とすることができる。
【０００８】
更に、身体の前面および背面のうち、正中線に沿った領域は、人間の身体の中で最も汗をかきやすい領域であることが知られている。本態様の衣服によれば、取付け孔を介して、正中線に沿った領域に対向するように送風装置を配置することができるため、使用者の身体を効果的に冷却することができる。
【０００９】
本発明の一態様として、少なくとも１つのファンと少なくとも１つのモータとを備えた送風装置を着脱可能な衣服が提供される。この衣服は、表地を備えている。表地は、衣服の着用時に使用者の胴体の前面を覆う前身頃と、胴体の背面を覆う後身頃とを少なくとも含む。また、表地は、送風装置を着脱可能に構成された取付け孔を複数有する。そして、複数の取付け孔はすべて、前身頃または後身頃の左右方向の中心線上に設けられている。また、本態様において、複数の取付け孔のうち少なくとも１つは、その少なくとも一部が、衣服の着用時に前記使用者の腰部よりも上方に配置される位置に設けられていることが好ましい。
【００１０】
本態様の衣服には、複数の取付け孔を介して複数の送風装置が着脱可能である。そして、複数の送風装置が取り付けられた状態で、衣服が使用者に着用されると、複数の送風装置はすべて、使用者の前面側または背面側に配置されて、正中線に対向する（重なる）。つまり、前側または後側からみた場合、複数の送風装置はすべて、使用者の身体の正中線上に配置される。よって、本態様の衣服では、送風装置が腰部の左側面および右側面に近い領域に対向する従来の衣服に比べ、使用者が腕を左右に振る動きの際、送風装置が干渉しにくい。また、上述の従来の衣服では、例えば、腕を左右に振る動き等、身体が捩られる動きを伴う運動では、送風装置が受ける遠心力が使用者への負荷となる。よって、一般的には、激しい動きを伴うスポーツには好適とはいいがたい。このような従来の構成に比べ、本態様の衣服では、複数の送風装置はすべて、遠心力をより受けにくい、身体の中心軸に近い位置に配置されている。これにより、複数の送風装置が着脱可能な衣服をより広範な分野に好適に使用可能とすることができる。
【００１１】
また、上述の従来の衣服は、腰部の左側面および右側面の近傍に送風装置を配置する空間を確保するために、身頃の左右方向の幅を、身体の幅に対して比較的広く設定する必要がある。このため、衣服が身体に対して動きやすい。本態様の衣服は、複数の送風装置が何れも左右方向の中心線上に配置されるため、身頃の左右方向の幅を、上述の従来の衣服に比べて狭くすることができる。つまり、衣服を身体によりフィットさせることが可能となる。これにより、本態様の衣服は、使用者が動いたときに、複数の送風装置をより安定して保持することができ、使用者の感じる負荷を軽減することができる。
【００１２】
更に、本態様の衣服によれば、複数の取付け孔を介して、人間の身体の中で最も汗をかきやすい正中線に沿った領域に対向するように複数の送風装置を配置することができるため、送風装置が１つの場合に比べ、使用者の身体をより効果的に冷却することができる。
【００１３】
なお、上述の各態様における衣服は、例えば、胴体のみを覆う袖なしの上衣、胴体および腕の一部を覆う袖付きの上衣、上衣と下衣とが一体化された所謂つなぎ服として構成されうる。また、衣服は、表地のみを有する１層構造の衣服であってもよいし、表地と裏地とを少なくとも有する多層構造の衣服であってもよい。また、衣服に着脱される送風装置は、ファンとモータとを１つずつ備えていてもよいし、ファンとモータとを夫々複数備えていてもよい。あるいは、複数のファンと１つのモータとを備えていてもよい。少なくとも１つのファンと少なくとも１つのモータは、典型的には、ハウジングに収容される。
【００１４】
本発明の一態様において、取付け孔は、後身頃に配置されていてもよい。この場合、送風装置は、使用者の背部に対向することになる。なお、複数の取付け孔を有する衣服においては、複数の取付け孔のうち、少なくとも１つが後身頃に配置されていればよい。
【００１５】
本態様によれば、使用者の身体の前面側に比べ、より使用者の動きの妨げになりにくい背面側に送風装置を装着することができる。更に、前傾姿勢となる作業時や運動時には、背部に対向する送風装置の重心が、使用者の身体の重心の上方に配置されやすい。これにより、送風装置が腰部に対向配置される場合に比べ、使用者が送風装置の重みを感じにくく、安定した姿勢を維持することが容易となる。また、背面側の正中線に沿った領域は、前面側よりも更に汗をかきやすい領域であることが知られている。よって、本態様によれば、使用者の身体を更に効果的に冷却することができる。なお、本態様において、取付け孔の少なくとも一部は、衣服の着用時に使用者の背部の上半分領域に対向する（重なる）位置に設けられることが好ましい。この場合、身体の様々な動きの影響をより受けにくい位置に送風装置を配置することができる。
【００１６】
本発明の一態様において、取付け孔の少なくとも一部は、衣服の着用時に、使用者の背面のうち、左右の肩甲骨の間の領域に対向する位置に配置されていてもよい。つまり、後側からみた場合、送風装置は、使用者の左右の肩甲骨の間に配置されてもよい。なお、複数の取付け孔を有する衣服においては、複数の取付け孔のうち、少なくとも１つが上記位置に配置されているとよい。左右の肩甲骨の間の領域は、左右の腕の動きを含め、身体の様々な動きの影響を特に受けにくい。よって、本態様によれば、この領域に対向する位置で取付け孔に取り付けられた送風装置を、使用者の動きに干渉しにくく、安定した状態で保持することができる。また、本態様によれば、送風装置が、使用者が特に冷感を得やすく、熱がこもった身体の冷却効果が高いとされる首筋に近い位置に配置されるため、冷却効果を更に高めることができる。
【００１７】
本発明の一態様において、衣服は、取付け孔を表地の外面側から覆う閉状態と、取付け孔を衣服の外部に露出させる開状態との間で変位可能に構成されたカバーを更に備えていてもよい。本態様によれば、送風装置が取り付けられていないときにカバーを閉状態とすることで、取付け孔を介して衣服の内部に異物が進入する可能性を低減することができる。また、取付け孔が外部に露出して衣服のデザイン性を損なうのを回避することができる。なお、本態様において、カバーは、閉状態と開状態との間で変位可能であれば、表地から取り外し可能であってもよいし、表地に一部が固定された状態であってもよい。
【００１８】
本発明の一態様において、カバーの少なくとも一部は、メッシュ地で構成されていてもよい。本態様によれば、外気がメッシュ地を通してカバー内に流入可能であるため、カバーが閉状態にあるときにも、カバーが開状態にあるときと同様に、送風装置が問題なく吸気を行うことができる。また、送風装置が取り付けられていない状態でカバーが閉状態にあるときにも、ポンピング効果（ふいご作用ともいう）によって、取付け孔およびメッシュ地を通して、衣服の内部と外部との換気が可能となる。これにより、カバーを閉状態とした場合の衣服内環境を改善することができる。
【００１９】
本発明の一態様において、メッシュ地は、カバーのうち、カバーが閉状態にあるときに取付け孔を覆う領域に設けられていてもよい。この場合、取付け孔に取り付けられた送風装置をメッシュ地が覆うため、送風装置の効率的な吸気が可能となる。
【００２０】
本発明の一態様において、カバーは、カバーが閉状態にあるときに取付け孔を覆う第１領域と、第１領域と異なる第２領域とを含んでいてもよい。そして、第２領域は、開口を有してもよい。本態様によれば、外気が開口からカバー内に流入可能であるため、カバーが閉状態にあるときにも、カバーが開状態にあるときと同様に、送風装置が問題なく吸気を行うことができる。また、取付け孔に取り付けられた送風装置が、カバーの第１領域によって覆われるため、主に送風装置の吸気口近傍で生じやすい騒音が外部に漏れるのを抑制することができる。
【００２１】
本発明の一態様において、カバーは、吸音部材を含んでいてもよい。本態様によれば、吸音部材によって、送風装置の騒音を効果的に低減することができる。なお、吸音部材は、カバーに取り付けられていてもよいし、カバーの一部または全部が吸音部材で構成されていてもよい。なお、吸音部材がカバーに取り付けられる場合やカバーの一部が吸音部材で構成される場合には、吸音部材は、カバーが閉状態にあるときに取付け孔を覆う領域に配置されることが好ましい。
【００２２】
本発明の一態様において、カバーは、閉状態において、前身頃または後身頃の左右方向の中心線に沿って上下方向に延在し、左端部および右端部が表地と接続されて閉じられ、且つ、少なくとも上端部が開放された状態で、取付け孔を覆うように構成されていてもよい。本態様によれば送風装置が取り付けられていないときにカバーを閉状態とした場合、ポンピング効果によって取付け孔からカバー内に排気された空気を、煙突効果によってカバーの上端部から逃がすことができる。これにより、カバーを閉状態とした場合の衣服内環境を改善することができる。
【００２３】
本発明の一態様において、カバーは、保水性および通気性を有していてもよい。本態様によれば、通気性を有するカバーを通して外気がカバー内に流入可能であるため、カバーが閉状態にあるときにも、カバーが開状態にあるときと同様に、送風装置が問題なく吸気を行うことができる。また、カバーに予め水を吸収させておくことで、カバーの通過時に冷却された外気を衣服内に導入することができ、使用者の冷感を更に高めることができる。
【００２４】
本発明の一態様において、衣服は、表地の内面側に取り付けられた裏地と、表地と裏地の間に形成された内部空間とを更に備えていてもよい。そして、内部空間は、送風装置が取付け孔に装着された場合、送風装置によって送出された外気が流動可能に構成されていてもよい。本態様によれば、送風装置から送出された外気を内部空間で流動させることで、使用者の身体を冷却することができる。なお、本態様において、衣服は、内部空間と衣服の内部（使用者の身体側の空間ともいえる）とを連通する開口を更に備えていてもよい。この場合、送風装置によって内部空間へ送出され、開口から流出する外気によって、使用者の身体の特定の部位を選択的に冷却することが可能となる。
【００２５】
本発明の一態様において、衣服は、取付け孔に取り外し可能に装着された送風装置を更に備えていてもよい。更に、本発明の一態様において、衣服は、送風装置に電力を供給するためのバッテリを更に備えていてもよい。
【図面の簡単な説明】
【００２６】
【図１】ファンユニットが取り付けられ、使用者によって着用された状態の第１実施形態の上着を、後側（背面側）からみたときの説明図である。
【図２】前を開いた状態の上着を前側（裏地側）からみた説明図である。
【図３】カバーが取り外された上着と、上着に取り付けられたファンユニットの断面を示す説明図である。
【図４】ファンユニットが取り付けられた状態の第２実施形態の上着を後側からみたときの説明図である。
【図５】第３実施形態の上着を後側からみたときの説明図である。
【図６】第４実施形態の上着を後側からみたときの説明図である。
【発明を実施するための形態】
【００２７】
以下、図面を参照して、本発明の実施形態に係る衣服について説明する。
【００２８】
［第１実施形態］
以下、図１〜図３を参照して、本発明の第１実施形態に係る上着１１について説明する。
【００２９】
まず、上着１１の概略構成について説明する。図１および図２に示す本実施形態の上着１１は、通気衣服、空調衣服、冷却衣服などとも称される衣服の一例であって、送風を行うファンユニット８を着脱可能に構成されている。
【００３０】
図１〜図３に示すように、上着１１は、表地２と裏地３とを備えている。ファンユニット８は、吸気口８４４および排気口８４８が表地２の外側および裏地３側（使用者の身体側）に夫々配置された状態で、表地２に取り付けられる。使用者が上着１１を着用した状態でファンユニット８による送風が行われると、吸気口８４４から吸い込まれた外気は、排気口８４８を介して表地２と裏地３の間に送出され、表地２と裏地３の間に形成された内部空間４（図３参照）内を流動する。これにより裏地３が膨らみ、使用者の身体（肌着を着用した状態を含む）に接触して、汗を吸収する。そして、内部空間４を流動する外気がこの汗を蒸発させることで熱を奪い、使用者に冷感を与えるものである。また、外気は、裏地３を通して内部空間４から流出し、身体全体の放熱を促進することによっても使用者に冷感を与える。
【００３１】
以下、上着１１の詳細構成について説明する。なお、以下の説明では、便宜上、使用者によって着用されたときの方向を基準として、上着１１の方向を規定する。つまり、使用者の頭側が上側、足側が下側、右手側が右側、左手側が左側、前面側が前側、背面側が後側である。
【００３２】
図１および図２に示すように、上着１１は、使用者の胴体（体幹ともいう）を覆う、袖なしの上衣（所謂ベスト）として構成されており、表地２と、表地２に取り付けられた裏地３とを備えている。更に、本実施形態の上着１１は、表地２に着脱可能に構成されたカバー５１を備えている。以下、表地２、裏地３、およびカバー５１の詳細構成について順に説明する。
【００３３】
図１および図２に示すように、表地２は、前身頃２３と、後身頃２１とを含む。
【００３４】
前身頃２３は、使用者の胴体の前面を覆う部分である。前身頃２３は、左身頃と右身頃とがスライドファスナ２３１によって接続（開閉）可能とされている。
【００３５】
後身頃２１は、使用者の胴体の背面を覆う部分である。後身頃２１は、ファンユニット８を着脱可能に構成された取付け孔２１１を有する。より詳細には、取付け孔２１１は、ファンユニット８のハウジング８４の筒状部８４１（図３参照）の径と概ね同径の開口として構成されている。また、本実施形態では、後身頃２１には、２つの取付け孔２１１が設けられており、２つのファンユニット８が着脱可能とされている。２つのファンユニット８は、夫々、その一部が取付け孔２１１に挿通された状態で、後身頃２１に固定される。以下、取付け孔２１１の周縁部を、ファン取付け部２１２ともいう。
【００３６】
本実施形態では、２つの取付け孔２１１は何れも、後身頃２１の左右方向の中心線上に設けられている。言い換えると、２つの取付け孔２１１は何れも、後身頃２１のうち、使用者が上着１１を着用したときに使用者の背面側で正中線に対向する位置（つまり、脊柱に対向する位置、後ろからみて脊柱と重なる位置）に配置されている。以下では、２つの取付け孔２１１を区別する場合には、上側の取付け孔２１１を取付け孔２１１Ａといい、下側の取付け孔２１１を取付け孔２１１Ｂというものとする。下側の取付け孔２１１Ｂは、使用者が上着１１を着用したときに使用者の腰部１０１（腰椎の周囲の部分）に対向する（重なる）位置に設けられている。一方、上側の取付け孔２１１Ａは、腰部よりも上方の背部１０３（胸椎の背面側の部分）に対向する（重なる）位置に設けられている。より詳細には、上側の取付け孔２１１Ａは、その概ね全体が、使用者の背部１０３の上半分領域、更に詳細には、左右の肩甲骨１０５の間の領域に対向する（重なる）位置に設けられている。
【００３７】
また、後身頃２１は、カバー５１を着脱可能に構成されている。以下、後身頃２１の一部であって、カバー５１が取り付けられたときにカバー５１によって覆われる領域を、カバー領域２１３という。本実施形態では、左右方向において取付け孔２１１の径よりも大きい一定幅を有し、後身頃２１の左右方向の中心線に沿って、後身頃２１の上端から下端まで延びる矩形状の領域が、カバー領域２１３とされている。後身頃２１に対するカバー５１の着脱については後述する。
【００３８】
図２に示すように、裏地３は、表地２の内面側に取り付けられている。より詳細には、裏地３は、表地２の後身頃２１および前身頃２３の概ね全体を覆うように配置され、裏地３の縁部３０の大部分が表地２に縫い付けられている。図３に示すように、表地２と裏地３の間には、内部空間４が形成されている。なお、裏地３のうち、表地２との接合部（縁部３０）に囲まれた領域は、表地２のうち接合部に囲まれた領域よりも大きい。これにより、裏地３は、ファンユニット８による送風に伴って膨らみやすい構成を有する。
【００３９】
図２に示すように、縁部３０のうち、表地２に縫い付けられていない部分は、内部空間４と上着１１の内部（上着１１の内側、使用者の身体側の空間）とを連通する開口３１を構成する。本実施形態では、開口３１は、スライドファスナ３２により開閉可能とされている。なお、開口３１は、使用者の首筋、両脇の下から背中側の両腕の付け根までの部分、および胸部（特に、鳩尾およびその上部）に夫々対向する領域に設けられている。これらの領域は、使用者が特に冷感を得やすく、熱がこもった身体の冷却効果が高いとされる部位（例えば、皮膚のすぐ下に太い血管が通っている部位）に対応している。使用者は、スライドファスナ３２の開き具合を調整することで、開口３１を介してこれらの部位に直接当たる外気の風速を調整することができる。
【００４０】
裏地３のうち、後身頃２１を覆う部分の下端部には、縁部３０に沿って、直線状に切り込まれた開口３３が形成されている。開口３３は、スライドファスナ３４により開閉可能とされている。ファンユニット８を着脱する場合には、スライドファスナ３４が開けられ、開口３３を介して着脱作業が行われる。一方、上着１１の着用時には、スライドファスナ３４は閉じられた状態とされる。これにより、腰の周囲で内部空間４から外気が漏れ出ることが防止される。
【００４１】
裏地３のうち、右前身頃を覆う部分には、ポケット３８が設けられている。ポケット３８は、バッテリホルダ９６を収容可能である。バッテリホルダ９６には、ファンユニット８の電源としての充電式のバッテリ９５が取り外し可能に装着される。更に、裏地３には、ポケット３８に比較的近い位置に、開口３６が設けられている。開口３６には、バッテリホルダ９６のケーブル９６１とファンユニット８とを接続するためのケーブル９１を挿通可能である。バッテリホルダ９６がポケット３８に収容された場合には、ポケット３８から引き出されたケーブル９６１が、開口３６を通して内部空間４から上着１１の内部に引き出されたケーブル９１と接続される。なお、本実施形態のバッテリホルダ９６は、モータ８２の駆動を制御するコントローラと、ファンユニット８（モータ８２）の駆動開始および停止の指示、ファン８３の風量（モータ８２の回転数）の設定等を入力するための操作ボタンを備えている。なお、バッテリ９５は、ファンユニット８の専用バッテリであってもよいし、各種の電動工具（スクリュードライバ、ハンマドリル等）の電源としても使用可能なバッテリであってもよい。また、バッテリ９５は、バッテリホルダ９６から取り外し不能な内蔵式バッテリに変更されてもよい。
【００４２】
なお、図２に示すように、上着１１には、裏地３に設けられたポケット３８に加え、表地２の左右の前身頃２３の内面側（裏地３側）に設けられ（つまり、内部空間４（図３参照）内に配置され）、表地２の外側に開口を有するポケット２８も設けられている（図２では左側のポケット３８のみ図示）。ポケット２８には、バッテリホルダ９６のケーブル９６１を挿通可能な開口２８１が設けられている。よって、バッテリホルダ９６がポケット２８に収容された場合には、開口２８１を通してケーブル９６１が内部空間４に引き出され、内部空間４内で、ケーブル９１と接続される。
【００４３】
本実施形態では、表地２と裏地３には、何れも化学繊維織物が採用されている。表地２には、内部空間４から外気が流出するのを抑制するために、通気度の低い生地が採用されている。また、表地２は、優れた耐水性および透湿性を有する。一方、裏地３の通気度は、表地２の通気度よりは高いものの、比較的低く設定されている。より詳細には、裏地３の通気度は、内部空間４に送出された外気の圧力を大気圧よりある程度高く維持でき、且つ、内部空間４の外気が裏地３を通過して緩やかに外部へ流出することが可能な程度に設定されている。また、裏地３は、優れた吸水性および速乾性を有する。
【００４４】
図１に示すように、カバー５１は、取付け孔２１１を後身頃２１の外面側から覆う閉状態と、取付け孔２１１を上着１１の外部に露出させる開状態との間で変位可能に構成されている。本実施形態では、カバー５１は、後身頃２１に着脱可能に構成されている。カバー５１は、後身頃２１に取り付けられた場合には取付け孔２１１を覆い、後身頃２１から取り外された場合には取付け孔２１１を外部に露出させることができる。カバー５１は、後身頃２１のカバー領域２１３を覆うように取り付けられる。よって、カバー５１は、カバー領域２１３と対応する矩形状に形成されている。カバー５１の左右の端部と、カバー領域２１３の左右の端部には、夫々、スライドファスナ６１の務歯が取り付けられている。カバー５１は、スライドファスナ６１の開閉を介して後身頃２１に着脱される。閉状態では、カバー５１の左右の端部は、スライドファスナ６１を介して後身頃２１に接続され、上下の端部は開放された状態となる。
【００４５】
なお、本実施形態では、カバー５１には、表地２と同じ生地が採用されている。また、表地２のうち、カバー領域２１３の色は、少なくとも、ファンユニット８のうち取付け孔２１１の外側に配置される部分（詳細には、吸気部８４３およびフランジ部８４５（図３参照））の色と同じ（例えば、黒）である。一方、カバー５１の色は、表地２のうちカバー領域２１３以外の部分の色と同じ（例えば、白）である。
【００４６】
以下、上着１１に着脱可能に構成されたファンユニット８の構成について説明する。図３に示すように、ファンユニット８は、本体部８１と、本体部８１とは別体として形成され、本体部８１に着脱可能なリング部材８９とを備えている。
【００４７】
まず、本体部８１について説明する。本体部８１は、モータ８２と、モータ８２によって駆動されるファン８３と、モータ８２およびファン８３を収容するハウジング８４とを主体として構成されている。
【００４８】
モータ８２およびファン８３は、ハウジング８４内に同軸状に配置されている。モータ８２は、ロータと共に回転軸Ａ１周りに回転駆動されるモータシャフト８２１を有する。ファン８３は、複数の羽根を備えた軸流ファンとして構成されている。ファン８３は、モータ８２の駆動に伴って、回転軸Ａ１周りにモータシャフト８２１と一体的に回転される。
【００４９】
ハウジング８４は、リング部材８９が取り付けられる筒状部８４１と、吸気口８４４を有する吸気部８４３と、吸気部８４３の周囲に設けられたフランジ部８４５と、排気口８４８を有する排気部８４７とを含む。なお、本実施形態では、ハウジング８４は、上着１１のカバー領域２１３と同じ色である。
【００５０】
筒状部８４１は円筒状に形成された部分であって、モータ８２およびファン８３と同軸状に配置されている。詳細な図示は省略するが、筒状部８４１の外周面には、雄ネジ部が形成されている。吸気部８４３は、筒状部８４１の２つの開口端のうち、ファン８３の吸気側の端を覆うように配置されている。詳細な図示は省略するが、吸気部８４３は、中央部に配置された板状部と、板状部から放射状に延びる複数のリブとを含む。吸気口８４４は、板状部と複数のリブの間に形成された貫通孔であって、吸気部８４３を回転軸Ａ１方向に貫通している。つまり、ファンユニット８は、後方から前方へ向かう方向に外気を吸引する。フランジ部８４５は、吸気部８４３の外周から径方向外側に突出するように設けられている。排気部８４７は、全体としては円形ドーム状に形成され、筒状部８４１の２つの開口端のうち、ファン８３の排気側の端を覆うように配置されている。詳細な図示は省略するが、排気部８４７も、中央部に配置された板状部と、板状部から放射状且つアーチ状に延びる複数のリブとを含む。排気口８４８は、板状部と複数のリブの間に形成された貫通孔であって、排気部８４７を回転軸Ａ１方向および回転軸Ａ１に交差する方向に貫通している。つまり、ファンユニット８は、後方から前方へ向かう方向に加え、回転軸Ａ１から概ね径方向外側へ向かう方向にも外気を送出する。
【００５１】
次に、リング部材８９について説明する。リング部材８９は、筒状部８９１と、フランジ部８９３とを主体として構成されている。筒状部８９１は、本体部８１の筒状部８４１の外周に着脱可能に構成された短尺状の円筒体として形成されている。詳細な図示は省略するが、本実施形態では、筒状部８９１の内周面には、雌ネジ部が形成されている。筒状部８４１の外周面に形成された雄ネジ部に対してこの雌ネジ部が螺合されることで、リング部材８９が本体部８１に対して同軸状に取付けられる。フランジ部８９３は、筒状部８４１の軸方向における一端部から径方向外側に突出するように設けられている。フランジ部８９３の外径は、本体部８１のフランジ部８４５の外径と概ね同一に設定されている。
【００５２】
以下、上着１１の使用態様とその効果について説明する。
【００５３】
例えば、高温環境下での作業時、運動時等、身体の冷却が望まれる場合には、使用者は、上着１１にファンユニット８を取り付けた状態で上着１１を着用することができる。ファンユニット８を上着１１に取り付ける手順は、次の通りである。
【００５４】
使用者は、まず、図１に示すように、スライドファスナ６１を開いて後身頃２１からカバー５１を取り外し、取付け孔２１１を露出させる（カバー５１を開状態とする）。また、使用者は、ファンユニット８のリング部材８９を本体部８１から取り外す。そして、本体部８１の排気部８４７側を、表地２の外面側から上着１１の取付け孔２１１に挿入する。これにより、フランジ部８４５の前側にファン取付け部２１２（表地２）が配置された状態となる。更に、開口３３を通して、表地２の内面側からリング部材８９を本体部８１に取り付ける。具体的には、図３に示すように、外側のフランジ部８４５と内側のフランジ部８９３によってファン取付け部２１２（表地２）が挟持される位置まで、リング部材８９（筒状部８９１）を本体部８１(筒状部８４１）に螺合させる。このようにしてファンユニット８が取付けられると、排気部８４７は、裏地３に対向するように、表地２と裏地３の間に配置される。使用者は、図２に示すように、ファンユニット８に接続されたケーブル９１を、ポケット２８または３８に収容されたバッテリホルダ９６のケーブル９６１に接続して、スライドファスナ３４を閉じる。
【００５５】
また、使用者は、首筋、両脇の下から背中側の両腕の付け根までの部分、および胸部のうち、内部空間４から流出する外気を直接当てて冷却したい部分に対応する開口３１のスライドファスナ３２を、適宜開く。
【００５６】
使用者がバッテリホルダ９６の操作ボタン（図示略）を介して駆動開始指示を入力すると、ファンユニット８の駆動が開始される。ファンユニット８によって内部空間４に送出された外気は、裏地３を表地２から離れる方向（つまり、使用者の身体側）に膨らませる（図３参照）。これにより、裏地３の少なくとも一部が使用者の身体に接触して汗を吸収し、表地２と裏地３の間で流動する外気がこの汗を蒸発させる。裏地３の身体に接触している部分では、効率的な熱交換が行われ、使用者は冷感を得ることができる。
【００５７】
また、内部空間４に送出された外気は、スライドファスナ３２が開かれた開口３１から流出し、使用者に冷感を与えるとともに、熱がこもった身体を効果的に冷却することができる。また、内部空間４内における外気の流動性が確保されることで、裏地３に吸収された汗を効果的に蒸発させることができる。更に、裏地３は、ある程度の外気の通過を許容する生地で構成されているため、裏地３のうち、使用者の身体に密着していない領域を通過する外気によって身体の放熱を促進することによっても使用者に冷感を与えることができる。
【００５８】
特に、本実施形態では、ファンユニット８用の２つの取付け孔２１１は何れも、後身頃２１の左右方向の中心線上に設けられている。よって、上着１１に取り付けられた２つのファンユニット８も、後身頃２１の中心線上に配置され、使用者の背面側で正中線に対向する（後ろから見て、使用者の身体の正中線上に配置される）ことになる。正中線に沿った領域、特に、背面側の正中線に沿った領域（脊柱に沿った領域）は、人間の身体の中で最も汗をかきやすい領域であることが知られている。本実施形態では、ファンユニット８の排気口８４８から、裏地３のうち、背面側の正中線に沿った領域に向けて外気が排出されるため、この領域で特に効率的な熱交換が行われ、使用者の身体を効果的に冷却することができる。また、上側の取付け孔２１１Ａに取り付けられたファンユニット８は、使用者が特に冷感を得やすく、熱がこもった身体の冷却効果が高いとされる首筋に近い位置に配置されるため、冷却効果を更に高めることができる。
【００５９】
また、ファンユニット８が後身頃２１の左右方向の中心線上に配置されることで、作業時や運動時に、ファンユニット８が腕の動きに干渉しにくくなる。よって、上着１１は、例えば、ファンユニット８が腰部の左側面および右側面に近い領域に配置されている場合に比べ、動きやすさの点で改善されている。特に、取付け孔２１１を、前身頃（身体の前面側）ではなく、後身頃２１（背面側）に配置することで、より使用者の動きの妨げになりにくい位置にファンユニット８の装着位置が設定されている。
【００６０】
また、ファンユニット８が腰部の左側面および右側面に近い領域に配置されている場合、例えば、腕を左右に振る動き等、身体が捩られる動きを伴う運動では、ファンユニット８が受ける遠心力が使用者への負荷となる。よって、一般的には、激しい動きを伴うスポーツには好適とはいいがたい。本実施形態の上着１１では、２つのファンユニット８は何れも、遠心力をより受けにくい、使用者の身体の中心軸に近い位置に配置されている。これにより、上着１１は、激しい動きを伴うスポーツを含む、より広範な分野に好適に使用することができる。
【００６１】
特に、２つの取付け孔２１１のうち、上側の取付け孔２１１Ａは、上着１１が着用されたとき、使用者の背部１０３のうち、左右の肩甲骨１０５の間に配置される。人間の腕は、肩甲骨を支点として動くため、背部１０３のうち、左右の肩甲骨の間の領域は、左右の腕の動きに干渉しにくく、また、左右の腕の動きの影響を受けにくい領域であるといえる。また、この領域は、左右の腕の動き以外の身体の様々な動き（捩り等）の影響も受けにくい。よって、上側の取付け孔２１１Ａに取り付けられたファンユニット８は、特に、使用者の動きに干渉しにくく、且つ、より安定した状態で保持される。
【００６２】
また、２つのファンユニット８が取り付けられた状態の上着１１の重心は、２つのファンユニット８が何れも腰部に対向する位置に取り付けられた状態の衣服に比べ、上方に位置することになる。また、脊柱に対向する領域にファンユニット８が配置されるため、使用者が前傾姿勢となる作業時や運動時（例えば、サイクリング時やトレイルランニング時）には、ファンユニット８が、使用者の背面上に配置されやすい。特に、上側の取付け孔２１１に取り付けられたファンユニット８は背部に載るような状態となり、その重心は身体の重心の上方に配置されやすい。よって、使用者がファンユニット８の重みを感じにくく、安定した姿勢を維持することが容易となる。
【００６３】
更に、２つのファンユニット８が腰部の左側面および右側面に近い領域に取り付けられる衣服では、左右の２箇所において、衣服と身体の間にファンユニット８を配置する空間を確保する必要が生じる。このため、身頃の左右方向の幅が、身体の幅に対して比較的広く設定されることになり、衣服が身体に対して動きやすい。一方、本実施形態の上着１１は、２つのファンユニット８が何れも後身頃２１の左右方向の中心線上に配置される（上下方向に並ぶ）ため、後身頃２１の左右方向の幅を、上述のような衣服に比べて狭くすることができる。つまり、身体によりフィットする上着１１を実現することができる。これにより、上着１１は、使用者が動いたときに、２つのファンユニット８をより安定して保持することができ、使用者の感じる負荷を軽減することができる。
【００６４】
なお、カバー５１が取り外された状態で、ファンユニット８が上着１１に取り付けられると、吸気部８４３およびフランジ部８４５は、取付け孔２１１から外部に露出した状態となる（図３参照）。しかしながら、上述のように、本実施形態では、カバー領域２１３とハウジング８４とが同じ色、且つ、表地２のうちカバー領域２１３以外の部分とは異なる色である。よって、上着１１は、ファンユニット８が取り付けられた状態で着用されても、ファンユニット８が目立ちにくく、デザイン性に優れた外観を呈することができる。
【００６５】
一方、ファンユニット８の送風による身体の冷却が不要な場合には、使用者は、ファンユニット８を取り外した状態で上着１１を着用することができる。この場合、使用者は、裏地３の下端部のスライドファスナ３４（図２参照）を開け、開口３３を介してリング部材８９を本体部８１から取り外した後、取付け孔２１１に挿入された本体部８１を外側から引き抜くことで、ファンユニット８を上着１１から取り外せばよい。
【００６６】
ファンユニット８が取り外された状態では、後身頃２１の取付け孔２１１が外部に露出した状態となる。そこで、使用者は、カバー５１を後身頃２１に取り付けることで、取付け孔２１１を覆う（カバー５１を閉状態とする）ことができる。これにより、取付け孔２１１を介して上着１１の内部に異物が進入する可能性を低減することができる。また、取付け孔２１１が外部に露出して上着１１のデザイン性を損なうのを回避することができる。なお、本実施形態では、上述のように、カバー５１は、表地２と同じ色であることから、カバー５１が表地２に取り付けられることで、より一層自然な外観を呈することができる。
【００６７】
［第２実施形態］
以下、図４を参照して、本発明の第２実施形態に係る上着１２について説明する。上着１２は、第１実施形態のカバー５１（図１参照）とは異なるカバー５２を備えているが、その他の構成は、基本的に第１実施形態の上着１１の構成と同一である。以下では、既述の実施形態と同一の構成については同一の符号を付して図示および説明を簡略化または省略し、主に、異なる構成について説明する。なお、この点については、第３実施形態以降についても同様である。
【００６８】
図４に示すように、本実施形態の上着１２も、第１実施形態の上着１１と同じく、２つの取付け孔２１１を有する表地２と、表地２の内面側に取り付けられた裏地３（図２参照）とを備えている。そして、取付け孔２１１を介して表地２に取り付けられたファンユニット８によって内部空間４に送出された外気により、使用者の身体が冷却される。
【００６９】
カバー５２は、第１実施形態のカバー５１と同様、矩形状に形成されており、左右一対のスライドファスナ６１を介して、カバー領域２１３を覆うように後身頃２１に取り付けられる。一方、カバー５１とは異なり、カバー５２は、メッシュ地で構成されたメッシュ領域５２１を含む。より詳細には、カバー５２は、表地２と同一の生地で形成されているが、後身頃２１に取り付けられたときに（つまり、閉状態において）２つの取付け孔２１１に夫々対向する領域には、２つの開口が設けられている。これらの開口を覆うようにメッシュ地が接合されることで、２つのメッシュ領域５２１が形成されている。メッシュ領域５２１は、取付け孔２１１よりも一回り大きい領域として設定されている。なお、本実施形態でいうメッシュ地とは、空隙率の高い網目状の織物または編物であって、裏地３よりも大幅に通気性の高い生地である。
【００７０】
以上のような構成により、後身頃２１にファンユニット８が取り付けられた状態で、後身頃２１にカバー５２が取り付けられると（閉状態とされると）、ファンユニット８の吸気部８４３（吸気口８４４）はメッシュ領域５２１に覆われる。よって、ファン８３の駆動時に上着１２にカバー５２が取り付けられていても、カバー５２によって吸気が妨げられるのを回避することができる。つまり、上着１２は、カバー５２が取り外された状態でも、カバー５２が取り付けられた状態でも、ファンユニット８を好適に使用することができる。なお、カバー５２およびメッシュ地を、ハウジング８４と同じ色とした場合には、ファンユニット８の機能を確保しつつ、ファンユニット８を隠すことができ、自然な外観を呈することができる。
【００７１】
また、上述のように、ファンユニット８の吸気口８４４は、複数のリブの間の隙間として形成されることが一般的である。このような場合、ハウジング８４内への異物の進入を抑制するためには、リブの間隔（つまり、吸気口８４４の大きさ）はある程度小さいことが好ましい。一方で、リブの間隔が小さくなると、吸気口８４４への外気の流入時に乱流が生じやすく、騒音が増加するという一面がある。これに対し、本実施形態の上着１２によれば、カバー５２のメッシュ領域５２１が異物の進入を抑制できるため、吸気部８４３の設計の自由度を高める（例えば、リブの数を減らす）ことが可能となる。これにより、吸気口８４４近傍における乱流の発生を抑え、騒音を低減することが可能となる。
【００７２】
また、ファンユニット８が取り外され、カバー５２が取り付けられた状態で上着１２が着用された場合には、上着１２は、ポンピング効果（ふいご作用ともいう）を発揮し、換気を促進することができる。より詳細には、使用者の上半身の動きに伴って生じる上着１２の動きが、内部空間４内の空気に強制的な流れを生み、取付け孔２１１およびメッシュ領域５２１を介した換気を促進する。これにより放熱が促進され、使用者は冷感を得ることができる。このように、本実施形態の上着１２によれば、ファンユニット８が使用されない場合でも、より快適な衣服内環境を実現することができる。
【００７３】
［第３実施形態］
以下、図５を参照して、本発明の第３実施形態に係る上着１３について説明する。上着１３は、表地２とカバー５３とを備えた袖なしの上衣であって、裏地は備えていない。上着１３の表地２の構成は、第１実施形態の上着１１（図１参照）と基本的に同一であり、カバー５３の構成はカバー５１とは異なっている。
【００７４】
図５に示すように、カバー５３は、第１実施形態のカバー５１と同様、矩形状に形成されており、左右一対のスライドファスナ６１を介して、カバー領域２１３を覆うように後身頃２１に取り付けられる。一方、カバー５１とは異なり、カバー５３は、カバー５３と後身頃２１（カバー領域２１３）との密着を防止する（言い換えると、カバー５３と後身頃２１との間に隙間を確保する）ように構成されたスペーサ６３を有する。本実施形態では、カバー５３をアーチ状に保つことが可能な複数のスペーサ６３が、上下方向に互いに離間してカバー５３に取り付けられている。また、本実施形態では、カバー５３には、保水性および通気性を有する生地が採用されている。
【００７５】
以上のようなカバー５３の構成により、本実施形態の上着１３は、カバー５３が取り外された状態でも、カバー５３が取り付けられた状態でも、ファンユニット８を好適に使用することができる。具体的には、後身頃２１にファンユニット８が取り付けられた状態で、後身頃２１にカバー５３が取り付けられると（閉状態とされると）、ファンユニット８の吸気部８４３（吸気口８４４）（図４参照）とカバー５３の間には隙間が形成される。ファン８３が回転駆動されると、通気性を有するカバー５３のうち、吸気部８４３に対向する領域を通して、また、カバー５３の上端および下端と、カバー領域２１３の上端および下端との間に夫々形成された開口５３１、５３２から、カバー５３とカバー領域２１３の間の空間に流入した外気が、ファンユニット８によって、表地２の内側、つまり、使用者の身体と表地２の間の空間へ送出される。これにより、使用者は冷感を得ることができる。
【００７６】
なお、本実施形態の上着１３は、裏地３を備えていない。よって、ファンユニット８が駆動されると、排気口８４８から、身体のうち最も汗をかきやすいとされている、脊柱に沿った領域に向けて直接外気が送出される。これにより、使用者の身体を効果的に冷却することができる。また、上側の取付け孔２１１Ａは、使用者の首筋に近い位置にある。よって、取付け孔２１１Ａに取り付けられたファンユニット８によって、より迅速に首筋に外気を供給し、冷却効果を高めることができる。
【００７７】
更に、使用者がカバー５３に予め水を吸収させておいた場合には、ファンユニット８は、カバー５３の通過時に冷却された外気を内部空間４に供給することができる。よって、使用者の冷感をより一層高めることができる。
【００７８】
また、本実施形態では、取付け孔２１１に取り付けられたファンユニット８の吸気口８４４には、閉状態にあるカバー５３の一部が対向する。これにより、吸気口８４４から放射される騒音がカバー５３の外部へ漏れるのを効果的に抑制することができる。
【００７９】
ファンユニット８が取り外され、カバー５３が取り付けられた状態で上着１３が着用された場合には、上着１３は、ポンピング効果（ふいご作用ともいう）および煙突効果を発揮することができる。より詳細には、使用者の上半身の動きに伴って生じる上着１３の動きが、使用者の身体と表地２との間の空気に強制的な流れを生み、取付け孔２１１を介した換気を促進する。そして、カバー領域２１３とカバー５３との間の空間に放出された空気は、この空間内を上昇し、カバー領域２１３の上端とカバー５３の上端との間に形成された開口５３１から流出する。このような気流によって放熱が促進され、使用者は冷感を得ることができる。このように、本実施形態の上着１３によれば、ファンユニット８が使用されない場合でも、より快適な衣服内環境を実現することができる。
【００８０】
また、例えば、使用者が前傾姿勢でバイクや自転車に乗る場合、カバー領域２１３の上端とカバー５３の上端との間に形成された開口５３１から外気を取り入れ、取付け孔２１１から上着１３内に導入することも可能となる。
［第４実施形態］
以下、図６を参照して、本発明の第４実施形態に係る上着１４について説明する。上着１４は、第３実施形態の上着１３（図５参照）と同様、表地２０とカバー５４とを備える一方、裏地は備えていない。但し、上着１３の表地２０およびカバー５４の構成は何れも、上着１３の表地２およびカバー５３とは異なっている。
【００８１】
図６に示すように、表地２０は、前身頃２３（図２参照）および後身頃２１に加え、袖２５を有する長袖の上衣として構成されている。表地２０は、難燃性の生地で構成されている。また、表地２０は、ファンユニット８用の取付け孔２１１を１つのみ有する。取付け孔２１１は、後身頃２１の左右方向の中心線上で、使用者が上着１４を着用したときに、使用者の背部１０３（図１参照）に対向する領域（脊柱に対向する領域）に設けられている。より詳細には、取付け孔２１１は、上着１３の上側の取付け孔２１１Ａ（図５参照）よりも若干下方に配置されており、使用者が上着１４を着用すると、取付け孔２１１の上端部が、使用者の背部１０３のうち、左右の肩甲骨１０５（図１参照）の間の領域に対向する。
【００８２】
以上のような取付け孔２１１の配置により、本実施形態でも、２つの取付け孔２１１が設けられた上着１３と同様、作業時や運動時に、取付け孔２１１に取り付けられたファンユニット８が腕の動きに干渉しにくい、動きやすい上着１４が実現されている。なお、上着１４では、腰部１０１に対向する領域にファンユニット８が配置されないため、上着１３に比べ、椅子等に座るときの快適性や、前屈、後屈、側屈時の動きやすさも向上されている。また、上着１３と同様、ファンユニット８が遠心力をより受けにくい、激しい動きを伴うスポーツを含む、より広範な分野に好適に使用可能な上着１４が実現されている。
【００８３】
また、カバー５４は、第３実施形態のカバー５３と同様、矩形状に形成されており、左右一対のスライドファスナ６１を介して、カバー領域２１３を覆うように後身頃２１に取り付けられる。また、カバー５３と同様、カバー５４には、カバー５４と後身頃２１（カバー領域２１３）との密着を防止するために、複数のスペーサ６３が取り付けられている。本実施形態では、カバー５４は、吸音性および難燃性を有する生地で構成されている。
【００８４】
更に、カバー５４には、カバー５４が後身頃２１に取り付けられたときに取付け孔２１１を覆う領域５４３とは異なる領域５４４に、開口５４５が設けられている。なお、本実施形態では、開口５４５は、左右方向に延びる長穴として構成されており、取付け孔２１１に対向する領域５４３よりも上方および下方に、３つずつ設けられている。
【００８５】
以上のようなカバー５４の構成により、本実施形態の上着１４は、カバー５４が取り外された状態でも、カバー５４が取り付けられた状態でも、ファンユニット８を好適に使用することができる。具体的には、後身頃２１にファンユニット８が取り付けられた状態で、後身頃２１にカバー５４が取り付けられると（閉状態とされると）、ファンユニット８の吸気部８４３（吸気口８４４）とカバー５３の間には隙間が形成される。ファン８３が回転駆動されると、開口５４５から、また、カバー５４の上端および下端と、カバー領域２１３の上端および下端との間に夫々形成された開口５４１、５４２から、カバー５３とカバー領域２１３の間の空間に流入した外気が、ファンユニット８によって表地２の内側の空間へ送出される。これにより、使用者は冷感を得ることができる。
【００８６】
また、本実施形態では、ファンユニット８に供給される外気を流入させるための開口５４５が、取付け孔２１１に対向する領域５４３から外れた位置（領域５４４内）に設けられている。よって、ファンユニット８が取付け孔２１１に取り付けられると、吸気口８４４は、カバー５４の一部（領域５４３）によって覆われる。これにより、吸気口８４４から放射される騒音がカバー５４の外部へ漏れることを抑制することができる。また、カバー５４自体が吸音性を有する生地で構成されているため、更に効果的に騒音を低減することができる。更に、上着１４は、難燃性のカバー５４によって取付け孔２１１を覆うことができるため、火気のある場所での作業時等にも好適に使用可能である。
【００８７】
更に、ファンユニット８が取り外され、カバー５３が取り付けられた状態で上着１４が着用された場合には、上着１４は、第３実施形態の上着１３と同様、ポンピング効果（ふいご作用ともいう）および煙突効果を発揮することができる。なお、上着１４では、カバー領域２１３とカバー５４との間の空間に放出された空気は、開口５４５、および、カバー領域２１３の上端とカバー５４の上端との間に形成された開口５４１から流出する。
【００８８】
上記実施形態および変形例の各構成要素と本発明の各構成要素の対応関係を以下に示す。上着１１〜１４の各々は、本発明の「衣服」の一例である。ファンユニット８、ファン８３、モータ８２は、夫々、本発明の「送風装置」、「ファン」、「モータ」の一例である。表地２、２０の各々は、本発明の「表地」の一例である。取付け孔２１１は、本発明の「取付け孔」の一例である。前身頃２３、後身頃２１は、夫々、本発明の「前身頃」、「後身頃」の一例である。カバー５１〜５４の各々は、本発明の「カバー」の一例である。カバー５２のメッシュ領域５２１を構成するメッシュ地は、本発明の「メッシュ地」の一例である。カバー５４のうち、取付け孔２１１に対向する領域５４３、領域５４３以外の領域５４４、開口５４５は、夫々、本発明の「第１領域」、「第２領域」、「開口」の一例である。カバー５４（吸音性を有する生地）は、本発明の「吸音部材」の一例である。裏地３、内部空間４は、夫々、本発明の「裏地」、「内部空間」の一例である。
【００８９】
上記実施形態は単なる例示であり、本発明に係る衣服は、例示された上着１１〜１４の構成に限定されるものではない。例えば、上着１１〜１４の何れかの構成の一部が、上着１１〜１４の他の何れかの構成と入れ替えられてもよい。また、例えば、下記に例示される変更を加えることができる。なお、これらの変更は、これらのうちいずれか１つのみ、あるいは複数が、実施形態に示す上着１１〜１４の各々と、あるいは各請求項に記載された発明と組み合わされて採用されうる。
【００９０】
本発明に係る衣服は、必ずしも上着１１〜１４のような前開きの上衣である必要はなく、例えば、被り式の上衣、フード付きの上衣、上衣とズボンがつながった所謂つなぎ服としても好適に実現することができる。なお、衣服の用途は特に限定されるものではなく、例えば、作業着、スポーツウェア、レジャーウェア、消防服、防護服、手術着等として実現されうる。また、表地２、２０、裏地３、およびカバー５１〜５４の素材は、上記実施形態で例示されたものに限られず、適宜、変更可能である。
【００９１】
取付け孔２１１の数は、上記実施形態で例示された１または２に限られるものではない。つまり、取付け孔２１１は、３つ以上設けられてもよい。また、取付け孔２１１の配置位置も、適宜、変更されうる。例えば、前身頃が左右に分割されていない場合には、取付け孔２１１は、前身頃２３の左右方向の中心線上（つまり、前身頃２３のうち、使用者の身体の正中線に対向する領域）に設けられてもよい。例えば、鳩尾に対向する領域に、取付け孔２１１が１つ設けられてもよい。この場合、取付け孔２１１の少なくとも一部は、腰部１０１（腰椎の周囲の領域）よりも上方の領域（つまり、胸部）に対向するように配置される。また、後身頃２１および前身頃２３の各々に、少なくとも１つの取付け孔２１１が設けられていてもよい。
【００９２】
上記実施形態で例示されたファンユニット８では、ハウジング８４内にモータ８２およびファン８３が１つずつ収容されている。しかしながら、ハウジング内に、モータとファンとが複数組（例えば、２つずつ）収容されたファンユニットが採用されてもよい。あるいは、ハウジング内に、１つのモータと、そのモータによって駆動される複数のファンが収容されたファンユニットが収容されてもよい。このような場合、取付け孔２１１の構成（例えば、大きさや形状）は、採用されるファンユニット（ハウジング）の構成に応じて適宜変更されうる。なお、複数のファンを備えたファンユニットに対応する取付け孔は、複数のファンが上下方向に並ぶようにファンユニットを取り付け可能であることが好ましい。
【００９３】
また、ファンユニット８の表地２、２０に対する取付け方法は、上記実施形態の例に限られない。例えば、ハウジング８４（筒状部８４１）およびリング部材８９の一方に可撓性を有する係止片が設けられ、他方に係止片が係止可能な凹部が設けられていてもよい。この場合、リング部材８９がハウジング８４に対して回転軸Ａ１方向に嵌め込まれ、係止片が凹部に係止することで、取付けが完了する。あるいは、ハウジング８４（筒状部８４１）の外周面にＬ字状のガイド溝が設けられ、リング部材８９の内周面にガイド溝に係合可能な突起が設けられていてもよい。この場合、突起がガイド溝内に配置された状態で、リング部材８９がハウジング８４に対して回転軸Ａ１方向に嵌め込まれ、更に、周方向に回転されることで、取付けが完了する。
【００９４】
更に、第１〜第３実施形態では、同一構成を有する取付け孔２１１が複数設けられる例が挙げられているが、互いに径が異なる取付け孔が複数設けられてもよい。つまり、衣服に取り付けられるファンユニットは、大きさ（典型的にはハウジングの筒状部の径）が異なっていてもよい。使用者の腰部１０１の左側面および右側面に近い領域に対向するようにファンユニットが配置される従来の衣服では、重心が左または右に偏ると動きにくいため、重量が同じ２つのファンユニットが採用されている。これに対し、使用者の正中線に対向するように複数のファンユニットが配置される場合、ファンユニットの重量が異なっていても、衣服の重心が左または右に偏ることがない。よって、例えば、上側に取り付けられるファンユニットをより大きくし、下側に取り付けられるファンユニットをより小さくしてもよい。この場合、上側のファンユニットによって、冷感を感じやすい首筋に近い領域に送出される風量を増加させつつ、例えば椅子に座るときに下側のファンユニットが邪魔になりにくい衣服を実現することができる。また、左右で大きさが異なるファンユニットが配置される場合に比べ、外観上の違和感も生じにくい。
【００９５】
カバー５１〜５４は、必ずしも設けられなくてもよい。また、カバー５１〜５４が設けられる場合には、カバー５１〜５４は、取付け孔２１１を覆う閉状態と、取付け孔２１１を開放する開状態との間で変位可能である限り、適宜、変更が可能である。例えば、カバー５１〜５４は、閉状態において、取付け孔２１１を含むカバー領域２１３全体を覆う必要はなく、取付け孔２１１およびその周縁部のみを覆うカバーが採用されてもよい。スライドファスナ６１に代えて、例えば、面ファスナまたはスナップボタンを介して衣服に着脱可能なカバーが採用されてもよい。また、カバーは、衣服から完全に取り外し可能でなくてもよい。つまり、カバーの一部は衣服に固定されていてもよい。例えば、カバー５１の下端部が、上着１１（後身頃２１）の下端部に縫い付けられていてもよい。この場合、上着１１の下端部に、カバー５１の保持部が設けられていると好ましい。このような保持部として、例えば、巻かれた状態のカバー５１を留めるストラップを採用することができる。また、例えば、保持部として、上着１１の下端部に、カバー５１を収容可能な袋状の収容部が設けられてもよい。
【００９６】
また、例えば、カバー５２（図４参照）は、全体がメッシュ地で構成されていてもよい。カバー５３、５４（図５、図６参照）のスペーサ６３は、カバー５３、５４と後身頃２１との密着を防止し、空気が流通可能な隙間を確保可能であればよく、異なる構成のスペーサに変更されてもよい。例えば、後身頃２１の外面に交差する方向に突出する少なくとも１つの突起を含むスペーサが採用されてもよい。例えば、スペーサは、複数の突起が設けられたシートとして構成されてもよい。なお、このようなスペーサは、カバーとは別体として構成され、カバーと後身頃２１の間に配置されてもよい。カバー５４は、その全体が吸音部材（吸音性を有する生地）で構成されているが、その一部に吸音部材が設けられるだけであってもよい。例えば、カバー５４の内面（カバー領域２１３に対向する面）のうち、閉状態において取付け孔２１１を覆う領域５４３に、スポンジが貼り付けられていてもよい。また、カバー５４の開口５４５は、メッシュ地で覆われていてもよい。
【００９７】
本発明および上記実施形態の趣旨に鑑み、以下の態様が構築される。以下の態様のうち少なくとも１つが、単独で、または、上述の実施形態、変形例、もしくは各請求項に記載された発明と組み合わされて採用されてもよい。
［態様１］
前記取付け孔の少なくとも一部は、前記衣服の着用時に前記使用者の背部または胸部に対向する位置に設けられている。
［態様２］
前記取付け孔は、その全体が、前記衣服の着用時に前記腰部よりも上方に配置される位置に設けられている。
［態様３］
前記取付け孔の少なくとも一部は、前記衣服の着用時に前記使用者の背部の上半分領域に対向する位置に設けられている。
［態様４］
前記衣服は、作業着、スポーツウェア、レジャーウェア、消防服、防護服、および手術着のうち何れかである。
［態様５］
前記衣服は、前記内部空間と、前記衣服の内側の空間とを連通する連通口を備えている。
［態様６］
態様５に記載の衣服であって、
前記連通口は、開閉可能に構成されている。
［態様７］
前記送風装置は、前記取付け孔に一部が挿通可能に構成され、前記少なくとも１つのファンと前記少なくとも１つのモータとを収容するハウジングを備えている。
［態様８］
前記衣服は、前記表地と前記カバーとの間に配置され、前記表地と前記カバーとの間に隙間を確保するように構成されたスペーサを更に備えている。
【００９８】
更に、送風装置を着脱可能な衣服において、送風装置が取り付けられていない状態で衣服内に異物が進入するのを抑制することを目的として、以下の態様９、１０が構築される。以下の態様９、１０は、夫々が独立して、あるいは、上述の実施形態とその変形例、および各請求項に記載された発明の１つまたは複数と組み合わされて採用されうる。
［態様９］
少なくとも１つのファンと少なくとも１つのモータとを備えた送風装置を着脱可能な衣服であって、
前記送風装置を着脱可能に構成された取付け孔を有し、前記衣服の着用時に使用者の胴体を少なくとも覆う表地と、
前記取付け孔を前記表地の外面側から覆う閉状態と、前記取付け孔を前記衣服の外部に露出させる開状態との間で変位可能に構成されたカバーとを備えたことを特徴とする衣服。
本態様の衣服によれば、送風装置の着脱時や、送風装置の稼働時には、カバーを開状態とすることで、着脱作業の効率や送風装置による吸気効率を良好に維持することができる。一方で、送風装置が取り付けられていないときには、カバーを閉状態とすることで、取付け孔を介して衣服の内部に異物が進入するのを抑制することができる。また、カバーを閉状態とすることで、取付け孔が外部に露出して、衣服のデザイン性を損なうのを回避することができる。
［態様１０］
前記カバーは、難燃性の生地で構成されている。
この場合、火気のある場所での作業時等にも衣服を好適に使用可能である。
【符号の説明】
【００９９】
１０１：腰部
１０３：背部
１０５：肩甲骨
１１、１２、１３、１４：上着
２、２０：表地
２１：後身頃
２１１、２１１Ａ、２１１Ｂ：取付け孔
２１２：ファン取付け部
２１３：カバー領域
２３：前身頃
２３１：スライドファスナ
２５：袖
２８：ポケット
２８１：開口
３：裏地
３０：縁部
３１、３３、３６：開口
３２、３４：スライドファスナ
３８：ポケット
４：内部空間
５１、５２、５３、５４：カバー
５２１：メッシュ領域
５３１、５３２：開口
５４１、５４２：開口
５４３、５４４：領域
５４５：開口
６１：スライドファスナ
６３：スペーサ
８：ファンユニット
８１：本体部
８２：モータ
８２１：モータシャフト
８３：ファン
８４：ハウジング
８４１：筒状部
８４３：吸気部
８４４：吸気口
８４５：フランジ部
８４７：排気部
８４８：排気口
８９：リング部材
８９１：筒状部
８９３：フランジ部
９１：ケーブル
９５：バッテリ
９６：バッテリホルダ
９６１：ケーブル
Ａ１：回転軸
【図１】
2020070502.tif 000003
【図２】
2020070502.tif 000004
【図３】
2020070502.tif 000005
【図４】
2020070502.tif 000006
【図５】
2020070502.tif 000007
【図６】
2020070502.tif 000008